(57)【要約】【課題】シート状の蓄冷剤をむらなく高効率で凍結することができるラックを提供する。【解決手段】ハンガーラック４０は、シート状蓄冷剤１を二つ折りして吊り下げ可能な前後方向に延びた吊り下げ枠４６を有する略門形をなす複数の支持枠４５が、本体枠４１上に所定間隔を開けて並設された構造であって、各支持枠４５の吊り下げ部４６にはシート状蓄冷剤１が前後２つ並んで吊り下げ支持されるようになっている。吊り下げ枠４６の奥側の領域が水平姿勢の水平部４８である一方、手前側の領域が奥側に向けて下り勾配となった傾斜部４７となっている。奥側のシート状蓄冷剤１Ａは水平部４８に対して真直姿勢で吊り下げられる一方、手前側のシート状蓄冷剤１Ｂは傾斜部４７に対して、一部オーバラップしながらも奥側が下がった斜め姿勢で吊り下げられる。【選択図】図９
2012225564.tif 000002
【特許請求の範囲】
【請求項１】
シート状の蓄冷剤を二つ折りして吊り下げ可能な前後方向に延びた吊り下げ枠を有する略門形をなす複数の支持枠が、本体枠上に所定間隔を開けて並設された構造であって、凍結庫内に水平姿勢で装着されるラックにおいて、
前記支持枠の前記吊り下げ枠が長さ方向に複数の領域に分けられ、少なくとも一つの領域では、隣の領域に向けて先下がりとなった傾斜部とされていることを特徴とする蓄冷剤用ラック。
【請求項２】
前記支持枠の前記吊り下げ枠が、シート状の蓄冷剤を前後２つ並べて吊り下げ支持可能であるものであって、前記吊り下げ枠の奥側の領域が水平姿勢の水平部である一方、手前側の領域が奥側に向けて下り勾配となった傾斜部となっていることを特徴とする請求項１記載の蓄冷剤用ラック。
【請求項３】
前記支持枠の前記吊り下げ枠が、シート状の蓄冷剤を前後２つ並べて吊り下げ支持可能であるものであって、前記吊り下げ枠の奥側の領域が手前側に向けて下り勾配となった傾斜部である一方、手前側の領域が水平姿勢の水平部となっていることを特徴とする請求項１記載の蓄冷剤用ラック。
【発明の詳細な説明】
【技術分野】
【０００１】
本発明は、シート状の蓄冷剤を吊り下げ支持して凍結庫内で凍結させることに用いる蓄冷剤用ラックに関する。
【背景技術】
【０００２】
蓄冷剤の一形態として、短冊状の蓄冷部材を複数連ねて方形のシート状としたものが知られており、このような蓄冷剤を凍結することに使用する蓄冷剤凍結庫として、下記特許文献１に記載されたものが知られている。  
このものは、シート状の蓄冷剤を二つ折りして吊り下げて支持する前後方向に延びた吊り下げ枠を有する略門形をなす複数の支持枠が、本体枠上において所定間隔を開けて並設されたラックを備え、このラックが凍結庫内において複数段に亘って装着された構造であって、各支持枠における吊り下げ枠に対し、それぞれ下向きに二つ折りした２個のシート状の蓄冷剤を奥側と手前側とに並べて吊り下げ支持し、庫内に冷気を供給することで蓄冷剤を凍結するようになっている。
【先行技術文献】
【特許文献】
【０００３】
【特許文献１】特開２０１１−７３８９号公報
【発明の概要】
【発明が解決しようとする課題】
【０００４】
上記の場合、例えばシート状の蓄冷剤の奥行寸法等の条件によっては、前後の蓄冷剤の間で端縁同士をオーバラップさせて支持せざるを得ない場合がある。そうすると、オーバラップしている部分については冷気が当たり難くなるため、それだけ凍結するのに時間が掛かり、また個々の蓄冷剤について凍結具合にむらができるおそれがあった。  
本発明は上記のような事情に基づいて完成されたものであって、その目的は、シート状の蓄冷剤をむらなく高効率で凍結することができるようにしたラックを提供するところにある。
【課題を解決するための手段】
【０００５】
本発明は、シート状の蓄冷剤を二つ折りして吊り下げ可能な前後方向に延びた吊り下げ枠を有する略門形をなす複数の支持枠が、本体枠上に所定間隔を開けて並設された構造であって、凍結庫内に水平姿勢で装着されるラックにおいて、前記支持枠の前記吊り下げ枠が長さ方向に複数の領域に分けられ、少なくとも一つの領域では、隣の領域に向けて先下がりとなった傾斜部とされている構成としたところに特徴を有する。
【０００６】
二つ折りしたシート状の蓄冷剤を支持枠の吊り下げ枠に対して複数個奥行方向に並べて吊り下げ支持する場合に、蓄冷剤の奥行寸法によっては、隣り合う蓄冷剤の端縁同士をオーバラップさせて支持する必要がある。本構成によれば、吊り下げ枠における区分された一つの領域が、隣の領域に向けて先下がりとなった傾斜部となっているから、同傾斜部に蓄冷剤が吊り下げ支持された場合、傾斜部の下端側に位置する蓄冷剤の端縁は、その下側領域が隣り合う蓄冷剤から離間するような斜め姿勢を取り、隣り合う蓄冷剤の端縁との間でオーバラップする面積が少なくできる。結果、蓄冷剤にとっては冷気が当たる面積が増えて凍結速度を速めることができ、かつ個々の蓄冷剤についてむらなく凍結することが可能となる。
【０００７】
また、以下のような構成としてもよい。  
（１）前記支持枠の前記吊り下げ枠が、シート状の蓄冷剤を前後２つ並べて吊り下げ支持可能であるものであって、前記吊り下げ枠の奥側の領域が水平姿勢の水平部である一方、手前側の領域が奥側に向けて下り勾配となった傾斜部となっている。  
支持枠の吊り下げ枠における奥側の水平部には、二つ折りされた蓄冷剤が、前後の端縁が鉛直姿勢を取った形態で吊り下げ支持され、一方手前側の傾斜部には、二つ折りされた蓄冷剤が、後縁の下部側が手前側に退避した斜め姿勢を取った形態で吊り下げ支持される。前後の蓄冷剤がオーバラップする場合にもそのオーバラップ面積を減少させることができる。また奥側の蓄冷剤については特にその後縁が鉛直姿勢を取って奥側に張り出さないから、蓄冷剤の奥側に冷気の流通通路を確保する場合に有利である。
【０００８】
（２）前記支持枠の前記吊り下げ枠が、シート状の蓄冷剤を前後２つ並べて吊り下げ支持可能であるものであって、前記吊り下げ枠の奥側の領域が手前側に向けて下り勾配となった傾斜部である一方、手前側の領域が水平姿勢の水平部となっている。  
二つ折りされた蓄冷剤がまず、支持枠の吊り下げ枠における奥側の傾斜部に対して、前縁の下部側が奥側に退避した斜め姿勢を取った形態で吊り下げ支持され、続いて手前側の水平部に対して、二つ折りされた蓄冷剤が、前後の端縁が鉛直姿勢を取った形態で吊り下げ支持される。同じく前後の蓄冷剤がオーバラップする場合にもそのオーバラップ面積を減少させることができる。この構成では、手前側の蓄冷剤を吊り下げ支持する場合に、その後縁側で、奥側に先に吊り下げ支持されている蓄冷剤の前縁側上部を挟むようにして吊り下げ支持できるから、蓄冷剤の装着作業がしやすい。
【発明の効果】
【０００９】
本発明のラックを使用すれば、シート状の蓄冷剤をむらなく高効率で凍結することができる。
【図面の簡単な説明】
【００１０】
【図１】本発明の実施形態１に係る凍結庫の側断面図
【図２】開扉状態の凍結庫の正面図
【図３】ハンガーラックの斜視図
【図４】同正面図
【図５】同平面図
【図６】同側面図
【図７】同右奥隅部の拡大平面図
【図８】ハンガーラックの装着構造を示す平面図
【図９】蓄冷剤の支持形態を示す側面図
【図１０】実施形態２のハンガーラックを用いた場合の蓄冷剤の支持形態を示す側面図
【図１１】実施形態３のハンガーラックを用いた場合の蓄冷剤の支持形態を示す側面図
【発明を実施するための形態】
【００１１】
＜実施形態１＞
本発明の実施形態１を図１ないし図９によって説明する。  
本実施形態に係る蓄冷剤凍結庫１０は、図１及び図２に示すように、前面開口の縦長の断熱箱体からなる凍結庫本体１１を有し、内部が凍結室１２とされて、底面の四隅に設けられた脚１３で支持されている。凍結室１２の前面開口部１４には、断熱扉１５が一方の縦縁（例えば右側縁）を中心とした揺動開閉可能に装着されている。  
凍結庫本体１１の上面には機械室１６が設けられ、同機械室１６内には、圧縮機１８、空冷式の凝縮器１９等からなる冷凍装置１７等が装備されている。
【００１２】
凍結室１２の天井部の奥側寄りの位置には、ドレンパンを兼ねたダクトパネル２０が張られることで冷却器室２１が区画形成されており、同冷却器室２１の手前側の位置には吸込口２２が、奥側には吹出口２３がそれぞれ形成されている。冷却器室２１内には冷却器２５が収容され、上記の機械室１６内に装備された冷凍装置１７と冷媒配管で接続されて冷凍サイクルが構成されているとともに、吸込口２２に臨んで庫内ファン２６が装着されている。  
そして、冷凍装置１７を運転しつつ庫内ファン２６を駆動すると、後記するように、凍結室１２の庫内空気が吸込口２２から冷却器室２１内に吸引され、その空気が冷却器２５を流通する間に熱交換によって冷気が生成され、その冷気が吹出口２３から凍結室１２の奥壁１２Ａに沿うようにして吹き出され、凍結室１２内に冷気が循環供給されるようになっている。
【００１３】
凍結室１２内には、シート状蓄冷剤１がハンガーラック４０に対して整列して支持されて収納されるようになっている。シート状蓄冷剤１は、樹脂シート内にゲル化剤が充填された短冊状をなす蓄冷部材２が４枚連ねられた形状であって、二つ折り可能とされている。後記するように、シート状蓄冷剤１は、ハンガーラック４０の支持枠４５に対して、２個が前後に並んだ形態で吊り下げ支持されるようになっている。  
ハンガーラック４０を凍結室１２内に装着する手段として、凍結室１２の奥壁１２Ａの左右両端部と、左右の側壁１２Ｂにおける前面開口部１４から所定寸法入った位置に、合計４本の棚柱３０が立てられており、各棚柱３０における同じ高さ位置に棚受金３２が装着されて、ハンガーラック４０が支持されるようになっている。
【００１４】
詳細には、棚受金３２は、図８及び図９に示すように、水平な載置板３３の先端から支え板３４が斜め下方に折り返された形状であり、かつ載置板３３には掛止片３５が垂直に切り起こし形成されている。棚受金３２は、載置板３３と支え板３４に設けられた取付爪（図示せず）を、棚柱３０に列設された取付孔３１の上下２個に亘って嵌めることで装着されるようになっている。  
この実施形態では、凍結室１２内にハンガーラック４０が４段に亘って装着されている。ただし最下段のハンガーラック４０は、凍結室１２の底面上に直に載せられている。
【００１５】
次に、ハンガーラック４０の形状について詳細に説明する。  
ハンガーラック４０は、図３ないし図７に示すように、共に鋼線等の金属線材を素材として形成された本体枠４１と、シート状蓄冷剤１を二つ折りして吊り下げて支持する複数個（図示８個）の支持枠４５とから構成されている。一部既述したように、各支持枠４５には、二つ折りされたシート状蓄冷剤１が、２個前後に並んで吊り下げ支持されるようになっており、以降、奥側に吊り下げ支持されるシート状蓄冷剤１と、手前側に吊り下げ支持されるシート状蓄冷剤１とを区別して説明する場合は、それぞれ符号「１Ａ」、「１Ｂ」を付して説明する。
【００１６】
本体枠４１は、前縁と左右の側縁とからなる平面門形をなす三方枠４２と、後縁枠４４とから構成され、三方枠４２の左右の側縁の奥端部では、内向きの鈎形に屈曲された被掛止部４３が形成されている。後縁枠４４は、上記した三方枠４２における左右の被掛止部４３の折り返し部４３Ａの間に亘る長さを有し、両端には、折り返し部４３Ａより所定寸法短い屈曲部４４Ａが直角曲げされている。三方枠４２の両被掛止部４３の間には、折り返し部４３Ａと屈曲部４４Ａの先端同士を揃えた形態で後縁枠４４が差し渡され、溶接により結合されることで本体枠４１が形成されている。  
本体枠４１は、凍結室１２の間口にほぼ匹敵する横幅と、同凍結室１２の奥行よりも所定寸法小さい奥行寸法を有する平面方形状に形成され、かつ、左右両側縁の奥端に形成された被掛止部４３が、後縁枠４４よりも所定寸法後方に突出した形状となっている。
【００１７】
支持枠４５は、前後方向に延びた吊り下げ枠４６の前後両端に、前枠５０と後枠５１とを下向きに形成した側面略門形状をなしている。支持枠４５の前後方向の長さ寸法は、シート状蓄冷剤１の縦幅（奥行寸法）の２倍弱であり、高さ寸法は、シート状蓄冷剤１の長さの半分程度である。  
吊り下げ枠４６は詳細には、手前側の略半分の長さ領域が、奥側に向けて約５°の傾斜角度で下り勾配となった傾斜部４７とされているとともに、奥側の半分弱の長さ領域が水平姿勢をなす水平部４８となっており、傾斜部４７の後端（下端）と水平部４８の前端との間が、約２０°の傾斜角度で奥側に向けて上り勾配となった連結部４９で連結されている。ここで、傾斜部４７の実長が、シート状蓄冷剤１の縦幅（奥行）に等しい寸法が採られている。
【００１８】
支持枠４５の後枠５１は直角に下向きに曲げられており、それに対して前枠５０は、直角に下向きに曲げられたのち（垂下部５０Ａ）、中央高さより少し下方位置から奥側に向けて斜め（４５°）に屈曲された（傾斜部５０Ｂ）形状となっている。  
このような支持枠４５は、隣り合う２個の前枠５０の下端同士と、後枠５１の下端同士がそれぞれ連結枠４５Ａで連結されることにより、所定間隔を開けて一体的に形成されている。
【００１９】
上記した支持枠４５の対が４組、各組間に上記した両支持枠４５の間隔に等しい間隔を取って左右方向に並べられ、本体枠４１における左右の側縁よりも少し内側に入った領域において同本体枠４１上に載せられる。詳細には、各支持枠４５の対における前側の連結枠４５Ａが三方枠４２の前縁上に載せられ、また後側の連結枠４５Ａが後縁枠４４上に載せられ、それぞれ溶接によって固定されている。  
以上により、本体枠４１の上面における左右の側縁の少し内側の領域において、図示８個の支持枠４５が一定間隔を開けて左右方向に並んで設けられ、かつ、各支持枠４５における手前側の一部、すなわち手前側の端縁から前枠５０の傾斜部５０Ｂの下端までの奥行領域が、本体枠４１の前縁の手前側に突出した形状となる。  
また、各支持枠４５における後枠５１の内側の面には、同じく金属線材からなる規制枠５３が、ほぼ中央高さ位置において全幅に亘って当てられ、溶接により固定されている。
【００２０】
続いて、本実施形態の作用を説明する。  
凍結室１２内には、ハンガーラック４０が４段に亘って装着される。  
上３段のハンガーラック４０は、図８に示すように、奥縁の左右両端部に設けられた被掛止部４３が、奥壁１２Ａの左右の棚柱３０に取り付けられた棚受金３２に載せられて掛止片３５に掛止され、また、本体枠５１における前縁の左右の隅部が、左右の側壁１２Ｂの棚柱３０に取り付けられた棚受金３２に載せられて掛止片３５に掛止され、これによりハンガーラック４０は前後並びに左右方向に移動不能に位置決めされて装着される。３段のハンガーラック４０は、極力上下方向の間隔を詰めた状態で装着される。また、最下段のハンガーラック４０は、図１に示すように、その上のハンガーラック４０との間に同程度の間隔を開けて、凍結室１２の底面に直接に載せられる。
【００２１】
上記のようにハンガーラック４０が装着された場合、ハンガーラック４０の支持枠４５における前枠５０（垂下部５０Ａ）と、閉扉された場合の断熱扉１５の裏面との間には、所定（棚柱３０の幅程度）のスペースが確保されるとともに、支持枠４５の後枠５１と奥壁１２Ａとの間にも、前側と同程度のスペースが確保される。  
なお、図９に示すように、上下に並んだハンガーラック４０において、下側のハンガーラック４０の支持枠４５における吊り下げ枠４６の前端部の上方に、上側のハンガーラック４０の前枠５０の傾斜部５０Ｂとの間において手前側に広がったスペースができる。
【００２２】
上記のようにハンガーラック４０が凍結室１２内に４段に亘って装着されたら、各ハンガーラック４０に対してシート状蓄冷剤１が支持される。この実施形態では、既述したように、二つ折りされたシート状蓄冷剤１が、２個前後に並んで吊り下げ支持される。  
まず奥側の領域にシート状蓄冷剤１が装着され、同シート状蓄冷剤１は下向きに二つ折りされたのち、図９の矢線に示すように、その折曲部３をハンガーラック４０における対応する支持枠４５の吊り下げ枠４６の前端部に掛け、同吊り下げ枠４６に沿って押し込むと、規制枠５３に当たったところで押し込みが停止される。  
これにより図９の上段に示すように、二つ折りされたシート状蓄冷剤１Ａが、支持枠４５の奥側の領域において吊り下げられた形態で支持される。より詳細には、同奥側のシート状蓄冷剤１Ａは、折曲部３Ａにおける奥側の８０％弱の長さ領域が水平部４８で支持され、かつ折曲部３Ａの前端が連結部４９よりも手前側に少し突出した位置まで来た形態の真直姿勢で吊り下げられる。同奥側のシート状蓄冷剤１Ａの前縁４Ａと後縁５Ａとは鉛直姿勢を取っている。
【００２３】
支持枠４５の手前側の領域にシート状蓄冷剤１Ｂを支持する場合は、同様に下向きに二つ折りしたのち、同折曲部３Ｂを対応する支持枠４５の吊り下げ枠４６における傾斜部４７に掛け、その後縁５Ｂ側を、奥側の領域で支持されているシート状蓄冷剤１Ａの前縁４Ａにおける両側に分かれた部分の間に潜り込ませてオーバラップさせつつ、その後縁５Ｂが、吊り下げ枠４６の傾斜部４７の後端に達するまで押し込む。このとき折曲部３Ｂの前端は傾斜部４７の前端と揃えられる。  
その結果、手前側のシート状蓄冷剤１Ｂは、傾斜部４７の全長に亘って掛けられて支持され、そのとき同シート状蓄冷剤１Ｂは、その前縁４Ｂ並びに後縁５Ｂが、それぞれの下端が手前側に突き出されるような斜め姿勢を採って吊り下げられる。
【００２４】
このように手前側のシート状蓄冷剤１Ｂを、下端が手前側に突き出されるような斜め姿勢で吊り下げると、手前側のシート状蓄冷剤１Ｂの後縁５Ｂは、奥側のシート状蓄冷剤１Ａの前縁４Ａよりも全体として低い位置に下がり、なおかつ同後縁５Ｂの下側が奥側のシート状蓄冷剤１Ａの前縁４Ａから離間するような斜め姿勢を取るから、例えば、手前側と奥側のシート状蓄冷剤１が共に真直姿勢で吊り下げられた場合と比較すると、手前側のシート状蓄冷剤１Ｂの後縁５Ｂと奥側のシート状蓄冷剤１Ａの前縁４Ａとの間でオーバラップする面積が少なくなる。
【００２５】
なお、特に上から２段ないし４段目のハンガーラック４０では、上下の間隔が狭いと、二つ折りされたシート状蓄冷剤１を支持枠４５に掛ける作業がし難いと言えるが、この実施形態では、２段目ないし４段目のハンガーラック４０におけるシート状蓄冷剤１を挿入する部分が、手前側に広がるように口を開けた形態となるから、二つ折りされたシート状蓄冷剤１を挿入し、ひいては支持枠４５の吊り下げ枠４６に掛ける作業がしやすい。
【００２６】
シート状蓄冷剤１Ａ，１Ｂが、上記した要領で、各段のハンガーラック４０についてそれぞれ奥側と手前側において吊り下げられた形態で支持された場合、奥側に支持されたシート状蓄冷剤１Ａの後縁５Ａは、規制枠５３に当たることでそれ以上奥側に押し込まれることが規制され、言い換えると奥側のシート状蓄冷剤１Ａの後縁５Ａと奥壁１２Ａとの間には、所定間隔の冷気通路６０が確保される。
【００２７】
シート状蓄冷剤１の収納が完了したら、断熱扉１５が閉じられたのち冷却運転が開始される。すなわち、冷凍装置１７と庫内ファン２６とが駆動されると、図１の矢線に示すように、吸込口２２から吸い込まれた庫内空気が冷却器２５を通過する間に冷気が生成され、その冷気が吹出口２３から奥壁１２Ａの表面の冷気通路６０に向けて吹き出されたのち、各段のハンガーラック４０に支持されたシート状蓄冷剤１を通って前方に吹き抜け、そののち断熱扉１５の裏面に沿って立ち上がるように循環供給され、これにより収納されたシート状蓄冷剤１が凍結されることになる。
【００２８】
ここで、手前側のシート状蓄冷剤１Ｂは奥側が下がった斜め姿勢で吊り下げられていることによって、同手前側のシート状蓄冷剤１Ｂの後縁５Ｂと奥側のシート状蓄冷剤１Ａの前縁４Ａとの間でオーバラップする面積が少なくなっており、言い換えると、各シート状蓄冷剤１にとっては凍結室１２内に循環供給される冷気が当たる面積が増えることになる。そのため、凍結速度が速められる。  
また、収納された蓄冷剤群の後面側には冷気通路６０が形成されていて、吹出口２３から吹き出された冷気を冷気通路６０を通して底部側にまで流下させることができ、もって凍結室１２内の全域に亘って冷気を循環供給することができる。
【００２９】
以上のように本実施形態のハンガーラック４０を使用した場合は、以下のような効果を得ることができる。  
当該ハンガーラック４０では、支持枠４５の吊り下げ枠４６に対して二つ折りしたシート状蓄冷剤１を２個前後に並べて吊り下げ支持するようになっているが、特に支持枠４５の吊り下げ枠４６について、奥側には水平姿勢をなす水平部４８が、手前側には奥側に向けて下り勾配となった斜め姿勢をなす傾斜部４７が形成された形状となっている。したがって、奥側の水平部４８には、二つ折りされたシート状蓄冷剤１Ａが、前後の端縁４Ａ，５Ａが鉛直姿勢を取った真直形態で吊り下げ支持され、一方手前側の傾斜部４７には、二つ折りされたシート状蓄冷剤１Ｂが、奥側が下がった斜め姿勢をなす形態で吊り下げ支持される。
【００３０】
上記の結果、手前側のシート状蓄冷剤１Ｂの後縁５Ｂと奥側のシート状蓄冷剤１Ａの前縁４Ａとの間でオーバラップする場合にも、手前側のシート状蓄冷剤１Ｂが斜め姿勢を取ることにより、詳細には、手前側のシート状蓄冷剤１Ｂの後縁５Ｂが、奥側のシート状蓄冷剤１の前縁４Ａよりも全体として低い位置に下がり、なおかつ同後縁５Ｂの下側が奥側のシート状蓄冷剤１Ａの前縁４Ａから離間するような斜め姿勢となることにより、手前側と奥側のシート状蓄冷剤１が共に真直姿勢で吊り下げられた場合と比較すると、手前側のシート状蓄冷剤１Ｂの後縁５Ｂと奥側のシート状蓄冷剤１Ａの前縁４Ａとの間でオーバラップする面積が少なくなる。  
これにより、シート状蓄冷剤１Ａ，１Ｂにとっては、凍結室１２内に循環供給されてシート状蓄冷剤１Ａ，１Ｂの側面に沿って流れる冷気が当たる面積が増え、凍結速度を速めることができ、かつ個々のシート状蓄冷剤１についてもむらなく凍結することが可能となる。
【００３１】
また、奥側のシート状蓄冷剤１Ａについては、規制枠５３によって奥側への押し込みが規制され、なおかつ真直姿勢で吊り下げられることによりその後縁５Ａが奥側に張り出さないから、蓄冷剤群の奥側に冷気通路６０が確保される。そのため、吹出口２３から吹き出された冷気を冷気通路６０を通して底部側にまで流下させることができ、凍結室１２内の全域に亘って冷気を循環供給することができて、全シート状蓄冷剤１を均一にかつ高速度で凍結させることに寄与し得る。
【００３２】
＜実施形態２＞
図１０は、本発明の実施形態２を示す。実施形態２のハンガーラック４０Ｘでは、支持枠４５Ｘにおける吊り下げ枠４６Ｘの形状が、上記実施形態１の吊り下げ枠４６とは前後対称形状、すなわち、奥側の略半分の長さ領域が、手前側に向けて約５°の傾斜角度で下り勾配となった傾斜部４７とされているとともに、手前側の半分弱の長さ領域が水平姿勢をなす水平部４８となっており、傾斜部４７の前端（下端）と水平部４８の後端との間が、約２０°の傾斜角度で手前側に向けて上り勾配となった連結部４９で連結されている。なお、規制枠は除去されている。
【００３３】
実施形態２のハンガーラック４０Ｘにおける支持枠４５Ｘにシート状蓄冷剤１を支持する場合は、奥側のシート状蓄冷剤１Ａについては、その折曲部３Ａが傾斜部４７の全長に亘って掛けられて、手前側が下がった斜め姿勢で吊り下げられ、続いて手前側のシート状蓄冷剤１Ｂは、折曲部３Ｂにおける手前側の８０％弱の長さ領域が水平部４８で支持された形態で、真直姿勢で吊り下げ支持される。  
手前側のシート状蓄冷剤１Ｂの後縁５Ｂと奥側のシート状蓄冷剤１Ａの前縁４Ａとの間でオーバラップする場合にも、奥側のシート状蓄冷剤１Ａがその前縁４Ａの下端側が奥側に逃げた斜め姿勢を取ることにより、同様にオーバラップ面積が減少される。  
この実施形態では、手前側のシート状蓄冷剤１Ｂを吊り下げ支持する場合に、その後縁５Ｂ側で、奥側に先に吊り下げ支持されているシート状蓄冷剤１Ａの前縁４Ａ側上部を挟むようにして吊り下げ支持できるから、シート状蓄冷剤１の装着作業がしやすい利点がある。
【００３４】
＜実施形態３＞
図１１は、本発明の実施形態３を示す。実施形態３のハンガーラック４０Ｙでは、支持枠４５Ｙにおける吊り下げ枠４６Ｙの形状が、奥側の半分の長さ領域が、手前側に向けて約５°の傾斜角度で下り勾配となった傾斜部４７Ｙで、手前側の半分の長さ領域が奥側に向けて約５°の傾斜角度で下り勾配となった傾斜部４７Ｙで、両傾斜部４７Ｙの下端同士を連結した構造となっている。規制枠は除去されている。
【００３５】
実施形態３のハンガーラック４０Ｙの支持枠４５Ｙにシート状蓄冷剤１を吊り下げ支持する場合は、奥側のシート状蓄冷剤１Ａは、折曲部３Ａが奥側の傾斜部４７Ｙに掛けられて、手前側が下がった斜め姿勢で吊り下げられ、手前側のシート状蓄冷剤１Ｂは、折曲部３Ｂが手前側の傾斜部４７Ｙに掛けられて、奥側が下がった斜め姿勢で吊り下げ支持される。  
すなわち、手前側のシート状蓄冷剤１Ｂの後縁５Ｂと奥側のシート状蓄冷剤１Ａの前縁４Ａとの間でオーバラップする場合にも、奥側のシート状蓄冷剤１Ａではその前縁４Ａの下端側が奥側に逃げた斜め姿勢を取り、また手前側のシート状蓄冷剤１Ｂではその後縁５Ｂの下端側が手前側に逃げた斜め姿勢を取ることにより、オーバラップ面積は極めて少なくなる。
【００３６】
＜他の実施形態＞
本発明は上記記述及び図面によって説明した実施形態に限定されるものではなく、例えば次のような実施形態も本発明の技術的範囲に含まれる。  
（１）上記実施形態では、ハンガーラックの支持枠に対して、シート状蓄冷剤が奥側と手前側の二列に亘って吊り下げ支持される場合を例示したが、同シート状蓄冷剤の大きさによっては三列以上に並べる場合であってもよい。その場合、支持枠の吊り下げ枠は列の数の長さ領域に分けられ、任意の領域において隣の領域に向けて先下がりとなった傾斜部とされていればよい。  
（２）ハンガーラックに支持されるシート状蓄冷剤は、短冊状の蓄冷部材を複数個連ねた形態のものに限らず、１枚の大きな蓄冷剤等、要は二つ折りして吊り下げ支持可能な形態のものであればよい。  
（３）凍結庫における冷気の循環方向としては、上記実施形態とは逆に、断熱扉の裏面に沿うように吹き出されて後方に吹き抜けたのち庫内の奥壁に沿って立ち上るように循環供給されるものであってもよい。
【符号の説明】
【００３７】
１，１Ａ，１Ｂ…シート状蓄冷剤  １０…凍結庫  １２…凍結室  ３０…棚柱  ４０，４０Ｘ，４０Ｙ…ハンガーラック（ラック）  ４１…本体枠  ４５…支持枠  ４６…吊り下げ枠  ４７，４７Ｙ…傾斜部  ４８…水平部
【図１】
2012225564.tif 000003
【図２】
2012225564.tif 000004
【図３】
2012225564.tif 000005
【図４】
2012225564.tif 000006
【図５】
2012225564.tif 000007
【図６】
2012225564.tif 000008
【図７】
2012225564.tif 000009
【図８】
2012225564.tif 000010
【図９】
2012225564.tif 000011
【図１０】
2012225564.tif 000012
【図１１】
2012225564.tif 000013